(57)【要約】【課題】本発明は、一次転写ローラの周期の濃度ムラを押さえることができる画像形成装置を提供することを目的とする。【解決手段】本発明に係る画像形成装置の代表的な構成は、感光ドラム１と、感光ドラム１上に複数色のトナー像を形成する複数の現像器５〜８と、感光ドラム１上のトナー像が転写される中間転写ベルト９と、中間転写ベルト９の裏面に当接し複数色のトナー像のうち第１色目のトナー像から順次中間転写ベルト９上に複数回転写する一次転写ローラ１０と、を有する画像形成装置において、一次転写ローラ１０の抵抗は中間転写ベルト９の抵抗より大きく、複数色のトナー像の転写時における中間転写ベルト９と一次転写ローラ１０の当接位置が、少なくとも転写するたびに同一位置とならないことを特徴とする。【選択図】　　図６
2004109560.tif 000002
【特許請求の範囲】
【請求項１】
電子写真感光体と、該電子写真感光体上に複数色のトナー像を形成する複数の現像手段と、前記電子写真感光体上のトナー像が転写される中間転写ベルトと、前記中間転写ベルトの裏面に当接し前記複数色のトナー像のうち第１色目のトナー像から順次中間転写ベルト上に複数回転写する転写ローラと、を有する画像形成装置において、
前記転写ローラの抵抗は前記中間転写ベルトの抵抗より大きく、
前記複数色のトナー像の転写時における前記中間転写ベルトと前記転写ローラの当接位置が、少なくとも転写するたびに同一位置とならないことを特徴とする画像形成装置。
【請求項２】
前記中間転写ベルトの周長が、前記転写ローラの円周長の約整数倍とならないことを特徴とする請求項１に記載の画像形成装置。
【請求項３】
前記転写の回数をｎ、ｎ未満の整数をｍとすると、前記中間転写ベルトの周長が、前記転写ローラの円周長の１／ｍの約整数倍とならないことを特徴とする請求項１に記載の画像形成装置。
【請求項４】
前記転写の回数をｎとすると、前記構成は、前記転写ローラの転写位置が、前記中間転写ベルト１周で、前記転写ローラの１／ｎ周だけずれることを特徴とする請求項１に記載の画像形成装置。
【発明の詳細な説明】
【０００１】
【発明の属する技術分野】
本発明は、記録媒体上にカラー画像を形成する画像形成装置に関するものである。
【０００２】
【従来の技術】
従来、カラーの画像形成装置としては、電子写真方式、熱転写方式、インクジェット方式等、種々の方式が知られているが、これらのうち電子写真方式のものは、他の方式のものに比べ、画像形成速度、画質、静粛性等の点で優れている。
【０００３】
電子写真方式を採用する画像形成装置の中でも、さらに種々の方式がある。例えば、感光体表面にカラー像（複数色のトナー像）を重ねた後、転写材に一括転写して像形成を行う多重現像方式や、現像、転写のサイクルを繰り返し行う多重転写方式、一旦、中間転写ベルト上に各色のトナー像を順次一次転写した後、転写材上に一括転写する中間転写方式等がある。これらのうち、特に中間転写方式のものは、質や厚さの異なる様々な転写材の使用が可能であること等の利点を有する。
【０００４】
図１に、中間転写方式の画像形成装置の一例として４色のフルカラーレーザービームプリンタの概略を示す。図１に示すように、電子写真感光体である感光ドラム１の周面には、回転方向（矢印Ｒ１方向）に沿って順に、帯電器２、レーザ光を感光ドラム１に照射する露光装置３、現像器５〜８、中間転写ベルト９、および、感光ドラムクリーナー１６が配置されている。
【０００５】
感光ドラム１は、その表面が帯電器２によって負極性に帯電される。帯電された感光ドラム１は、露光手段３の露光Ｌにより表面に静電潜像が形成される。現像器支持体４に搭載された１色目のイエロートナーが入った現像器５によって、感光ドラム上の静電潜像部にトナーを付着させ、トナー像を形成する。
【０００６】
一方、中間転写ベルト９は、二つの支持軸（二次転写対向ローラ１２、テンションローラ１４）に支持され、矢印Ｒ４方向に回転する二次転写対向ローラ１２によって矢印Ｒ３方向に回転する。中間転写ベルト９に従動回転する一次転写ローラ１０に、一次転写電源１７から正極性の一次転写バイアスが定電圧で印加されると、感光ドラム１上のトナー像は、一次転写ニップ部Ｎ１を介して一次転写される。一次転写後の感光ドラム１は、弾性体ブレードを有する感光ドラムクリーナー１６によって表面の一次転写残トナーが除去される。
【０００７】
以上の帯電、露光、現像、一次転写、クリーニング、除電の一連の画像形成プロセスを、各現像器６、７、８に収納された２色目マゼンタ、３色目シアン、４色目ブラックのトナーについても繰り返し行い、中間転写ベルト９上に４色のトナー像を重ねる。
【０００８】
中間転写ベルト９上に転写された４色のトナー像は、二次転写ローラ１１により二次転写バイアスが印加されると、二次転写対向ローラ１２上の二次転写ニップ部Ｎ２を介して転写材Ｐ表面に一括して二次転写される。表面に４色の未定着トナー像を担持した転写材Ｐは、定着器（不図示）に搬送され、定着器により表面のトナー像を定着され、画像形成が完了する。
【０００９】
【発明が解決しようとする課題】
しかしながら、上記従来の画像形成装置では、一次転写ニップ部で中間転写ベルトと感光ドラムとが分離する際に、局部的な電流集中による異常放電が発生し、中間転写ベルト上のトナー像を乱すことがあった。この異常放電は、中間転写ベルトの抵抗よりも一次転写ローラの抵抗を高くすることにより抑えられる。
【００１０】
しかし、一次転写ローラの抵抗は一次転写部の抵抗に大きな影響を与えるため、一次転写ローラの抵抗を高くすることには限界がある。このため、フルカラー画像において、一次転写ローラの周期の濃度ムラが画像上に現れるという問題があった。
【００１１】
そこで、本発明は、一次転写ローラの周期の濃度ムラを押さえることができる画像形成装置を提供することを目的とする。
【００１２】
【課題を解決するための手段】
上記課題を解決するために本発明に係る画像形成装置の代表的な構成は、電子写真感光体と、該電子写真感光体上に複数色のトナー像を形成する複数の現像手段と、前記電子写真感光体上のトナー像が転写される中間転写ベルトと、前記中間転写ベルトの裏面に当接し前記複数色のトナー像のうち第１色目のトナー像から順次中間転写ベルト上に複数回転写する転写ローラと、を有する画像形成装置において、前記転写ローラの抵抗は前記中間転写ベルトの抵抗より大きく、前記複数色のトナー像の転写時における前記中間転写ベルトと前記転写ローラの当接位置が、少なくとも転写するたびに同一位置とならないことを特徴とする。
【００１３】
【発明の実施の形態】
［第一実施形態］
本発明に係る画像形成装置の第一実施形態について、図を用いて説明する。図１に、中間転写方式の画像形成装置の一例として４色のフルカラーレーザービームプリンタの概略を示す。図１に示すように、電子写真感光体である感光ドラム１の周面には、回転方向（矢印Ｒ１方向）に沿って順に、帯電器２、レーザ光を感光ドラム１に照射する露光装置３、現像器５〜８、中間転写ベルト９、および、感光ドラムクリーナー１６が配置されている。
【００１４】
感光ドラム１は、その表面が帯電器２によって負極性に帯電される。帯電された感光ドラム１は、露光手段３の露光Ｌにより表面に静電潜像が形成される。現像器支持体４に搭載された１色目のイエロートナーが入った現像手段である現像器５によって、感光ドラム上の静電潜像部にトナーを付着させ、トナー像を形成する。
【００１５】
一方、中間転写ベルト９は、二つの支持軸（二次転写対向ローラ１２、テンションローラ１４）に支持され、矢印Ｒ４方向に回転する二次転写対向ローラ１２によって矢印Ｒ３方向に回転する。中間転写ベルト９に従動回転する一次転写ローラ１０に、一次転写電源１７から正極性の一次転写バイアスが定電圧で印加されると、感光ドラム１上のトナー像は、一次転写ニップ部Ｎ１を介して一次転写される。一次転写後の感光ドラム１は、弾性体ブレードを有する感光ドラムクリーナー１６によって表面の一次転写残トナーが除去される。
【００１６】
以上の帯電、露光、現像、一次転写、クリーニング、除電の一連の画像形成プロセスを、各現像器６、７、８に収納された２色目マゼンタ、３色目シアン、４色目ブラックのトナーについても繰り返し行い、中間転写ベルト９上に４色のトナー像を重ねる。
【００１７】
中間転写ベルト９上に転写された４色のトナー像は、二次転写ローラ１１により二次転写バイアスが印加されると、二次転写対向ローラ１２上の二次転写ニップ部Ｎ２を介して転写材Ｐ表面に一括して二次転写される。表面に４色の未定着トナー像を担持した転写材Ｐは、定着器（不図示）に搬送され、定着器により表面のトナー像を定着され、画像形成が完了する。
【００１８】
（一次転写ローラの周期の濃度ムラ）
次に、従来の画像形成装置における、一次転写ローラ１０の周方向の抵抗ムラに起因する一次転写ローラの周期の濃度ムラについて詳しく説明する。
【００１９】
中間転写ベルト９と感光ドラム１とが分離する際の異常放電を防ぐため、中間転写ベルト９の抵抗ＲＩＴＢよりも一次転写ローラ１０の抵抗ＲＴ１を高くしている（ＲＴ１／ＲＩＴＢ≧１．０）。
【００２０】
その理由は以下の通りと推測される。転写電流は一次転写ローラ１０から中間転写ベルト９を経て、感光ドラム１へ流れるが、電流が局部的に集中しようとすると、一次転写ローラ１０と中間転写ベルト９の抵抗による電圧降下の作用で電流を抑制しようとする。
【００２１】
ＲＴ１／ＲＩＴＢ＜１．０の場合は、中間転写ベルト９の抵抗ＲＩＴＢが支配的になり電流抑制を行なう。ただし、中間転写ベルト９の抵抗ＲＩＴＢによる抑制は、感光ドラム１と中間転写ベルト９間の局部的な電流が、集中による放電が開始してから、その作用が発揮されるため異常放電の発生が避けられない。
【００２２】
これに対し、ＲＴ１／ＲＩＴＢ≧１．０の場合は、一次転写ローラ１０の抵抗ＲＴ１が支配的になり電流抑制を行なう。一次転写ローラ１０の抵抗ＲＴ１による抑制は、一次転写ローラ１０内で行なわれるため、感光ドラム１と中間転写ベルト９間の局部的な電流が集中による放電そのものを抑制でき、異常放電の発生を防止できる。
【００２３】
このように、中間転写ベルト９と感光ドラム１とが分離する際の異常放電を防ぐ手段として、中間転写ベルト９の抵抗よりも一次転写ローラ１０の抵抗を高くした場合には、一次転写部の抵抗としては、一次転写ローラ１０の抵抗ＲＴ１が支配的となる。従って、一次転写バイアスを定電圧で制御している場合、一次転写ローラ１０の周方向の抵抗ムラが、一次転写電流のムラとなってしまう。
【００２４】
また、一次転写おいて、３色目以前に中間転写ベルト９上に転写されたトナーは、繰り返される一次転写により、トナーの電荷が正極性に反転することがある。中間転写ベルト９上に転写されたトナーが強く正極性に帯電してしまった場合、負極性に帯電されている感光ドラム１に再転写してしまう。この再転写は、一次転写電流の量に左右されるため、一次転写電流にムラがある場合、再転写の量にもムラが生じてしまう。
【００２５】
再転写量の差は、モノカラー画像においては画像上に見えることはないが、フルカラー画像においては画像上に一次転写ローラ１０周期の濃度ムラとなって現れていた。これは、従来の中間転写ベルト９の周長４４０ｍｍが、一次転写ローラ１０の円周長４４．００ｍｍ（φ１４．０１ｍｍ）の整数倍（１０倍）になっており、中間転写ベルト９に対する一次転写ローラ１０の転写位置が、複数回の転写において同一位置となる構成をとっていたため、４回の一次転写で、同じ再転写が同一画像内に重なってしまい、再転写量の差が大きくなっていたからである。
【００２６】
図２は、従来例における一次転写ローラの回転に伴う再転写量の変化を表したものである。横軸は一次転写ローラ１０の回転であり、縦軸は再転写による中間転写ベルト９上の光学濃度低下量（再転写量）を表している。図２（ａ）に示すように、１回の一次転写での再転写による光学濃度低下量の差は、０．０２４であったが、図２（ｂ）に示すように、２回目以降の一次転写でも同一位置に再転写を受けると、４回の再転写による光学濃度低下量の差が０．０９６にもなってしまい、画像上に一次転写ローラの周期の濃度ムラとして現れてしまう。また、複数色のトナー像を重ねた場合でも同様に、一次転写ローラ１０の周方向で転写量に差が生じるため、４回の一次転写で、同じ転写が同一画像内に重なってしまうと、画像上に濃度ムラとして現れてしまっていた。
【００２７】
（中間転写ベルトと一次転写ローラの関係）
上述の課題を解決するために、本実施形態における画像形成装置では、中間転写ベルト９の周長と一次転写ローラ１０の円周長が、整数倍をとらない構成としている。これにより、再転写量の集中を分散し、濃度ムラの発生を抑えることができる。以下に本実施形態の詳しい構成を説明する。
【００２８】
従来例と同様に現像された感光ドラム１上のトナー像は、一次転写ローラ１０の芯金２１に、一次転写電源１７から正極性の直流定電圧＋１ｋＶが印加されると、一次転写ニップ部Ｎ１を介して、中間転写ベルト９上に一次転写される。
【００２９】
中間転写ベルト９として、周長４４０ｍｍ、厚さ８０μｍのＰＶＤＦ（ポリフッ化ビニリデン）の従来の中間転写ベルトと同様の樹脂ベルトを用いた。矢印Ｒ４方向に表面速度１１７ｍｍ／秒で回転駆動される二次転写対向ローラ１２によって、中間転写ベルト９は矢印Ｒ３方向に回転する。
【００３０】
中間転写ベルト９の抵抗ＲＩＴＢは８．００×１０５［Ω］であり、以下の測定方法により測定した。具体的には、図３に示すように、矢印Ｒ６方向に表面速度１１７ｍｍ／秒で回転する導電ゴムローラ２４と、２本のアルミシリンダ２２、２３に中間転写ベルト９を掛け渡し、矢印Ｒ７方向に回転させる。そして、アルミシリンダ２３に対向した導電ゴムローラ２５の芯金に、電源Ｖ１より正極性の直流定電圧＋１ｋＶを印加し、アルミシリンダ２３の下流に設置された１ｋΩの測定抵抗Ｒ両端の電圧を測定することで電流を求め、中間転写ベルト９の抵抗を算出する。
【００３１】
一方、一次転写ローラ１０は、ＮＢＲ系イオン導電ゴムを用い、芯金２１にφ６ｍｍのＳＵＳを用いた。一次転写ローラ１０の抵抗を中間転写ベルト９よりも高くなるよう調整し、感光ドラム１と中間転写ベルト９との異常放電を防止している。
【００３２】
一次転写ローラ１０の周方向の平均抵抗値及び抵抗ムラは、以下に示す測定方法により測定した。図４に示すように、矢印Ｒ８方向に３０ｒｐｍで回転しているφ３０ｍｍのアルミシリンダ２６上に一次転写ローラ１０を当接し、芯金２１に上方から左右両端に各５００ｇの圧力を加え、一次転写ローラ１０を従動回転させる。そして、芯金２１に＋１ｋＶの直流電圧Ｖ１を印加し、アルミシリンダ２６の下流に設置された１ｋΩの測定抵抗Ｒ両端の電圧を測定する。測定した平均電圧値から一次転写ローラ１０の平均抵抗値ＲＴ１を求める。図５は本実施形態で用いた一次転写ローラ１０の上記測定法による抵抗プロファイルを示す図である。横軸が一次転写ローラ１０の回転であり、縦軸が抵抗値である。平均抵抗値ＲＴ１は９．２１×１０７［Ω］であり、中間転写ベルト９の平均抵抗ＲＩＴＢよりも２桁以上高いものを用いた。
【００３３】
一次転写ローラ１０の円周長は、４２．５８ｍｍ（φ１３．５６ｍｍ）であり、周長４４０ｍｍの中間転写ベルト９と一次転写ローラ１０の周長は、非整数倍となっている。中間転写ベルト９が１周すると一次転写ローラ１０が約１０周と１／３周し、毎度の一次転写で一次転写ローラ１０の抵抗ムラの位相が約１／３周ずれる構成となっている。
【００３４】
図６は本構成における一次転写ローラ１０の回転に伴う再転写量の変化を示す図である。図６（ａ）に示すように、毎度の一次転写で抵抗ムラの位相が１／３周ずらすことで、再転写量が分散され、図６（ｂ）に示すように、４回の再転写による光学濃度低下量の差を０．０３１まで抑えることができた。
【００３５】
以上説明したように、中間転写ベルト９の周長と一次転写ローラ１０の円周長が、整数倍をとらない構成としたことにより、転写材Ｐに形成した画像上の一次転写ローラの周期の濃度ムラを緩和することができた。
【００３６】
尚、本実施形態は、中間転写ベルト１周で一次転写ローラの抵抗ムラの位相が１／３ずれる構成について説明を行ったが、中間転写ベルト９の周長と一次転写ローラ１０の円周長が非整数倍となる他の構成でも同様の効果を得ることができる。
【００３７】
［第二実施形態］
次に本発明に係る画像形成装置の第二実施形態について図を用いて説明する。上記第一実施形態と説明の重複する部分については、同一の符号を付して説明を省略する。
【００３８】
本実施形態における画像形成装置は、中間転写ベルト９の周長が、一次転写ローラ１０の円周長の１／２又は１／３の整数倍にならないように構成されている。
【００３９】
上記第一実施形態のように、中間転写ベルト９が一回転すると、一次転写ローラ１０の抵抗ムラの位相が約１／３周ずれる構成を用いると、１色目と４色目の再転写が重なってしまい、その分、再転写量の差を大きくしてしまう。また、中間転写ベルト９が一回転すると、一次転写ローラの抵抗ムラの位相が約１／２周ずれる構成においては、１色目と３色目の再転写が重なってしまう。
【００４０】
そこで、本実施形態では、中間転写ベルト９の周長が、一次転写ローラ１０の円周長の約１／２又は約１／３の整数倍にならない構成とし、一次転写ローラ１０の周期の濃度ムラを更に緩和している。以下に本実施形態の詳しい構成を説明する。
【００４１】
中間転写ベルト９は、第一実施形態と同様、周長４４０ｍｍ、厚さ８０μｍ、平均抵抗ＲＩＴＢが８．００×１０５［Ω］のＰＶＤＦ（ポリフッ化ビニリデン）の樹脂ベルトを用いた。一次転写ローラ１０は、円周長４３．１４ｍｍ（φ１３．７４ｍｍ）とし、周長４４０ｍｍの中間転写ベルト９に対して、一次転写ローラ１０の円周長の１／５の約整数倍となっている。一次転写ローラ１０の材質は、第一実施形態と同様の平均抵抗ＲＴ１及び抵抗プロファイルのものを用いた。
【００４２】
図７は本構成における一次転写ローラの回転に伴う再転写量の変化を示す図である。図７（ａ）に示すように、毎度の一次転写で抵抗ムラの位相を約１／５ずらすことで、一度も再転写ムラの位相が重なることなく４回の一次転写が可能である。これにより、図７（ｂ）に示すように、４回の再転写による光学濃度低下量の差を０．０２３まで抑えることができた。
【００４３】
以上説明したように、中間転写ベルト９の周長が、一次転写ローラ１０の円周長の１／２又は１／３の約整数倍にならないように構成としたことにより、転写材Ｐに形成した画像上の一次転写ローラの周期の濃度ムラをいっそう緩和することができた。
【００４４】
尚、本実施形態は、中間転写ベルト９が一回転すると一次転写ローラ１０の抵抗ムラの位相が約１／５周ずれる構成について説明を行ったが、中間転写ベルト９の周長が、一次転写ローラ１０の円周長の１／２又は１／３の約整数倍にならない他の構成を用いても同様の効果を得ることができる。
【００４５】
［第三実施形態］
次に本発明に係る画像形成装置の第三実施形態について図を用いて説明する。上記第一実施形態と説明の重複する部分については、同一の符号を付して説明を省略する。
【００４６】
本実施形態における画像形成装置は、中間転写ベルト９の周長が、一次転写ローラ１０の円周長の１／４の約整数倍になるように構成されている。
【００４７】
図８は中間転写ベルト９が一回転でずれる一次転写ローラ１０の抵抗ムラの位相と再転写量の変化を示す図である。横軸は、１回の転写で、一次転写ローラがずれる位相の量であり、縦軸は、４回の再転写による光学濃度低下量の差である。この検証に用いた一次転写ローラ１０の平均抵抗ＲＴ１及び抵抗プロファイルは、従来例、第一実施形態及び第二実施形態と同一のものである。
【００４８】
図８に示すように、一次転写ローラ１０のずれ位相量が約１／４周のとき、光学濃度低下量の差が最小となる。また、一次転写ローラ１０のずれ位相量が約１／４周よりも小さくなると、光学濃度低下量の差が大きくなってしまう。これは、中間転写ベルト９が一回転した際に、一次転写ローラ１０がずれない構成（一次転写ローラのずれ位相量が０周）に近づくからである。
【００４９】
本実施形態では、中間転写ベルト９の周長が、一次転写ローラ１０の円周長の１／４の約整数倍になるよう構成にすることで、一次転写ローラの周期の濃度ムラを更に緩和している。以下に本実施形態の詳しい構成を説明する。
【００５０】
中間転写ベルト９は、第一実施形態及び第二実施形態と同様、周長４４０ｍｍ、厚さ８０μｍ、平均抵抗ＲＩＴＢが８．００×１０５［Ω］のＰＶＤＦ（ポリフッ化ビニリデン）の樹脂ベルトを用いた。
【００５１】
一次転写ローラ１０の円周長は、４２．９３ｍｍ（φ１３．６６ｍｍ）であり、中間転写ベルト９の周長４４０ｍｍが、一次転写ローラ１０の円周長の１／４の約整数倍となっている。一次転写ローラ１０の材質は、上記第一実施形態及び第二実施形態と同様の平均抵抗ＲＴ１及び抵抗プロファイルのものを用いた。
【００５２】
図９は本構成における一次転写ローラの回転に伴う再転写量の変化を示す図である。図９（ａ）に示すように、毎度の一次転写で抵抗ムラの位相を約１／４ずらすことで、一度も再転写ムラの位相が重なることなく４回の一次転写が可能である。これにより、図９（ｂ）に示すように、４回の再転写による濃度低下量の差を０．００６まで抑えることができた。
【００５３】
以上説明したように、中間転写ベルト９の周長が、一次転写ローラ１０の円周長の１／４の約整数倍となるよう構成としたことにより、転写材Ｐに形成した画像上の一次転写ローラの周期の濃度ムラをいっそう緩和することができた。
【００５４】
尚、本実施形態は、４色のフルカラー画像形成装置において、中間転写ベルト９が一回転すると一次転写ローラ１０の抵抗ムラの位相が１／４周ずれる構成について説明を行ったが、ｎ色の画像形成装置において、中間転写ベルト９の周長が一次転写ローラ１０の円周長の１／ｎの約整数倍になる構成を用いても同様の効果を得ることができる。
【００５５】
【発明の効果】
中間転写ベルトに対する一次転写ローラの転写位置が、複数回の転写において同一位置とならない構成を採用することで、転写ムラ及び再転写ムラの集中を抑制し、画像において、一次転写ローラの周期の濃度ムラの発生を防ぐことができた。
【図面の簡単な説明】
【図１】従来例及び第一実施形態の画像形成装置の概略構成図である。
【図２】従来の画像形成装置における一次転写ローラの抵抗ムラの位相がずれない場合の濃度低下量を示す図である。
【図３】中間転写ベルトの抵抗測定法を示す図である。
【図４】一次転写ローラの周方向の抵抗測定法を示す図である。
【図５】第一実施形態にかかる一次転写ローラの抵抗プロファイルを示す図である。
【図６】第一実施形態にかかる一次転写ローラの抵抗ムラの位相が１／３ずれた場合の濃度低下量を示す図である。
【図７】第二実施形態にかかる一次転写ローラの抵抗ムラの位相が１／５ずれた場合の濃度低下量を示す図である。
【図８】一次転写ローラの位相をずらした場合の再転写量の変化を示す図である。
【図９】第三実施形態にかかる一次転写ローラの抵抗ムラの位相が１／４ずれた場合の濃度低下量を示す図である。
【符号の説明】
Ｌ　　　　…露光
Ｎ１　　…一次転写ニップ部
Ｎ２　　…二次転写ニップ部
Ｐ　　　　…転写材
１　　　　…感光ドラム
２　　　　…帯電器
３　　　　…露光装置
４　　　　…現像器支持体
５〜８　　　　…現像器
９　　　　…中間転写ベルト
１０　　　　…一次転写ローラ
１１　　　　…二次転写ローラ
１２　　　　…二次転写対向ローラ
１４　　　　…テンションローラ
１６　　　　…感光ドラムクリーナー
１７　　　　…一次転写電源
２１　　　　…芯金
２２、２３、２６　　　　…アルミシリンダ
２４、２５　　　　…導電ゴムローラ
【図１】
2004109560.tif 000003
【図２】
2004109560.tif 000004
【図３】
2004109560.tif 000005
【図４】
2004109560.tif 000006
【図５】
2004109560.tif 000007
【図６】
2004109560.tif 000008
【図７】
2004109560.tif 000009
【図８】
2004109560.tif 000010
【図９】
2004109560.tif 000011